(57)【要約】      （修正有）【課題】自動的に蓋を開けることができるゴミ箱の提供。【解決手段】上下本体を取り外しと組み立てができるゴミ箱の上に一つの蓋をはめて設け、その蓋２０のエッジに感応ワイヤＦＬを設けてあるので、手でごみを持ってゴミ箱の開口部に近づく場合、その感応ワイヤがモーターＭを起動して蓋の装置を連動し、蓋を自動的に開閉できる。使用が便利で、確実に開閉できるゴミ箱を提供する。【選択図】図１０
0003118777.tif 000002
【実用新案登録請求の範囲】
【請求項１】
ゴミ箱に関するものであり、それは本体、蓋、電池、電気回路ボードＰＣ、電子パーツ、及び減速ギアボックスを含み、そのうち、本体は取り外しと組み立てができる上本体と下本体を畳んで設けられ、その上本体は中空の開口の形状であり、その上に一つの蓋をはめて設けることができ、その中空の開口部の中にフランジを設けることで、フレームをその上に設けられ、そのフレームにゴミ袋を取り付けることができ、又、そのフレームは傾斜度があり、上は狭くて下は広い形状を呈するので、そのフレームを本体の中に入れる時、上が広くて下が緊密の隙間を呈し、又、上本体の底部フレームに１個(１個を含む)以上の通し穴を設けてあり、それぞれの通し穴の側の上方にキャッチャーを設け、その下本体の上方に一つの開口部を設け、下本体の上方の接続端の両側、前後の面に、上述の通し穴の側の上方にあるキャッチャーと相対して嵌合する掛け金を設け、その蓋が本体の中空の開口部に設けられ、その蓋はベースで一つのケースを締めて固定し、そのベースの後端の下方に電池格納部を設けることで、電池を入れることができ、又、電池格納部のある端面にフックを設けることで、電池カバーをはめて設けることができ、その電池カバーの側に一つの電池格納部のフックと対応するフックホールを設け、その電池カバーの端面に突出で押す板を設け、そのベースの後端にある電池格納部の上に一つのねじ穴がある突出柱を設けることで、一つのスイッチを締めて固定でき、その電池格納部の左側に２枚のスロットがある固定プレートを設け、更に、ベースの後端の左後方に一つのねじ穴がある突出柱を設け、その上に一つの電気回路ボードＰＣを締めて固定でき、その電気回路ボードＰＣの上に電子パーツ及び一つの感応制御パーツを設け、その感応制御パーツに一つの感応ワイヤをベースのエッジに固定して設け、そのベースの上方に又一つのケースを固定で設け、そのケースの後端に一つの中空状の突出部を設け、その突出部の上に一つの開口部がある収納部を設け、その開口部の後方に一つの凹み穴を設け、その凹み穴の中に一つの軟性材質を固定で設け、その凹み穴の後方がベースのスイッチと対応する起動レバーに一つの丸い穴を設けることで、突出で設けることができ、又、その丸い穴の上に一つのボタンをはめて設けることで、スイッチを起動することができ、又、一つのアッパーカバーをケースの上方に密着でき、そのアッパーカバーの上方の中央に一つの錐形状の突出部が突出で設けられ、更に、錐形状の突出部の後端の両側にそれぞれ外部へ向かって１枚の突出板をそれぞれ設けてあり、その錐形状の突出部の後端に下へ向かって２個の突出する耳の部分を設けることで、ケースの収納部の両側にはめて設けることができ、その２枚の突出板の中間に固定で一つのレバーを設け、レバーの中間に一つのギアが設けられ、その上に一つのスプリングを設けることで、アッパーカバーの開きを補助でき、又、そのレバーをケースの後端の突出部にある中間収納部に固定で設けることができ、そのギアを収納部の開口部に設け、その減速ギアボックスを２枚のベースの後端にある２枚の固定板のスロットにラッチして固定し、その減速ギアボックスは、左、右のケースの上のエッジの相対するところに凹みス���ット、突出板及びは嵌めスロット、は嵌めブロックを相互に挿入してはめて固定することで構成されることを特徴とする、ゴミ箱。
【請求項２】
請求項１記載のゴミ箱において、その下本体の上方の接続端の両側にある掛け金を反対方向対応に設定し、その掛け金のある側に外部へ向かって一つの突出キャッチャーを設け、その両端にそれぞれ突出で突出ブロックが設けられ、一つを接続端の前にある掛け金に設け、その掛け金の上方に外部へ向かって一つの突出キャッチャーを設けてあり、その両端にそれぞれ一つのラッチスロット及び一つの曲がりブロックを凹んで設けてあり、もう一つを接続端の後ろにある掛け金に設け、その掛け金の上方に外部へ向かって一つの突出キャッチャーを設けてあり、その両端にそれぞれ一つの突出レバーを設けることを特徴とする、ゴミ箱。
【請求項３】
請求項１記載のゴミ箱において、その左のケースの左側の下方に一つのモーターを固定で設けてあり、そのモーターの全単に一つのギアＴが固定で設けられ、その左、右のケースの内部の対応するところにそれぞれ４個の丸い穴をもうけ、その４個の丸い穴にそれぞれ４個の心棒をはめて設けてあり、その上にそれぞれギアＴ１、Ｔ２、Ｔ３、Ｔ４、Ｔ５、Ｔ６、Ｔ７、Ｔ８を設けてあり、更に、そのギアＴ１、Ｔ３、Ｔ５、Ｔ７をギアＴ２、Ｔ４、Ｔ６、Ｔ８の下方に固定で設け、それより大きいのである。又、ギアＴをギアＴ１にはめて設け、ギアＴ２をギアＴ３にはめて設け、ギアＴ４をギアＴ５にはめて設け、ギアＴ６をギアＴ７にはめて設け、ギアＴ７、Ｔ８の上端に突出で設けてある減速ギアボックスの上端の隙間の穴の外部に、及び蓋を締嵌め場合、ギアＴ８がアッパーカバー２７の後端に固定で設けてあるギアＴ９の下方と噛みあう状態になることを特徴とする、ゴミ箱としている。
【考案の詳細な説明】
【技術分野】
【０００１】
本考案はゴミ箱に関するものである。
【背景技術】
【０００２】
従来の市販の蓋を開けることができるゴミ箱はすべて足踏みタイプである(図１、２の通り)ため、ごみを捨てる場合、足でゴミ箱の下端にある踏み板を踏んでゴミ箱の蓋を開けなければならない。又、その踏み板の下方にＬ形の押すレバー を設けて、ゴミ箱の蓋の後端に接続する。それを実際に使用する場合、下記のような欠点がある。
（１）そのゴミ箱は足でゴミ箱の下端にある踏み板を踏んでゴミ箱の蓋を開けてごみを捨てた後、足を踏み板から離れると、正常な状況であれば、ゴミ箱は自動的に閉嵌めが、Ｌ形の押すレバーにごみをかけやすいので、ゴミ箱が自動的に閉めなくなる。
（２）そのＬ形の押すレバーを長く使うと故障率が高くて、騒音が大きくなる。
（３）障害者が足で踏み板を踏むことができないので、使用する場合、不便になる。
（４）本体の高さは一体成型で作られるので、メーカーがゴミ箱を製造するプロセスに、先ず異なる高さの本体を製造した後、異なる高さの本体を保管空間に保管するが、同一タイプのゴミ箱の高さは固定式であるので、それぞれの本体を相互に上下で畳むことができないのである。
（５）本体を保管するため、広い空間が必要であるし、包装、運搬の過程に、ゴミ箱を一つずつ包装してからトラックの中に運ぶか、その他もっと広い空間に移動して保管しなければならない。
【考案の開示】
【考案が解決しようとする課題】
【０００３】
この考案の考案者が上述の問題点を改善して、自動的に蓋を開けることができるゴミ箱を研究開発した。それは上下本体を取り外しと組み立てができるゴミ箱の上に一つの蓋をはめて設け、その蓋のエッジに感応ワイヤを設けてあるので、手でごみを持ってゴミ箱の開口部に近づく場合、その感応ワイヤがモーターを起動して蓋の装置を連動することで、蓋を自動的に開閉できるので、使用が便利で、確実に開閉できるゴミ箱を提供するものである。
【０００４】
上述の目的を達成するため、自動的に蓋を開けることができるゴミ箱を提供するものである。それは主に一つの本体を含み、その上方に一つの蓋がはめて設けられ、そのゴミ箱の接続エッジにある通し穴の上方でのキャッチャー及び掛け金を利用して取り外し及び組み立てを行うことができる。又、その蓋のベースに電池、スイッチ、電気回路ボード及び電子パーツとモーター減速ギアボックス等を設けてあり、その電気回路ボードに電子パーツ及び一つの感応制御パーツを設けてあり、その感応制御パーツに１本の感応ワイヤを蓋のベースのエッジに固定で設ける。又、その減速ギアボックスを蓋のベースの後端に固定で設けることで、モーターを利用して減速ギアセットを連動できるし、その中での一つのギアをケースの後端にある凹みスロットの中間の上方に突出して設け、更に、それをアッパーカバーの後方に固定で設けるギアと嵌合して伝動することで、そのアッパーカバーを開閉することができる。又、導電後、その蓋のベースのエッジにある感応ワイヤがゴミを捨てる人の近づくことを感応して自動的ゴミ箱のアッパーカバーを開けることができる。
【０００５】
従来の本体の高さは固定式であるので、取り外し、畳んで収納することができないし、手でその蓋を触るか、足で押すレバーを踏むことでそのアッパーカバーを開けることが必要であるので、この考案の考案者がその欠点を改良して、自動的に蓋を開けることができるゴミ箱を開発した。それは取り外し及び組み立てできる上下本体を畳んでは嵌めことで構成され、そのゴミ箱の上方にある蓋のベースに電池、電気回路ボード、減速ギアボックスを設けてあり、その電気回路ボードの上に電子パーツ及び一つの感応制御パーツを設け、その感応制御パーツに一つの感応ワイヤを蓋のベースのエッジに固定で設けてあるので、ゴミを捨てる人の近づくと、モーターを起動してゴミ箱のアッパーカバーを開けることができる。
【課題を解決するための手段】
【０００６】
請求項１の考案は、ゴミ箱に関するものであり、それは本体、蓋、電池、電気回路ボードＰＣ、電子パーツ、及び減速ギアボックスを含み、そのうち、本体は取り外しと組み立てができる上本体と下本体を畳んで設けられ、その上本体は中空の開口の形状であり、その上に一つの蓋をはめて設けることができ、その中空の開口部の中にフランジを設けることで、フレームをその上に設けられ、そのフレームにゴミ袋を取り付けることができ、又、そのフレームは傾斜度があり、上は狭くて下は広い形状を呈するので、そのフレームを本体の中に入れる時、上が広くて下が緊密の隙間を呈し、又、上本体の底部フレームに１個(１個を含む)以上の通し穴を設けてあり、それぞれの通し穴の側の上方にキャッチャーを設け、その下本体の上方に一つの開口部を設け、下本体の上方の接続端の両側、前後の面に、上述の通し穴の側の上方にあるキャッチャーと相対して嵌合する掛け金を設け、その蓋が本体の中空の開口部に設けられ、その蓋はベースで一つのケースを締めて固定し、そのベースの後端の下方に電池格納部を設けることで、電池を入れることができ、又、電池格納部のある端面にフックを設けることで、電池カバーをはめて設けることができ、その電池カバーの側に一つの電池格納部のフックと対応するフックホールを設け、その電池カバーの端面に突出で押す板を設け、そのベースの後端にある電池格納部の上に一つのねじ穴がある突出柱を設けることで、一つのスイッチを締めて固定でき、その電池格納部の左側に２枚のスロットがある固定プレートを設け、更に、ベースの後端の左後方に一つのねじ穴がある突出柱を設け、その上に一つの電気回路ボードＰＣを締めて固定でき、その電気回路ボードＰＣの上に電子パーツ及び一つの感応制御パーツを設け、その感応制御パーツに一つの感応ワイヤをベースのエッジに固定して設け、そのベースの上方に又一つのケースを固定で設け、そのケースの後端に一つの中空状の突出部を設け、その突出部の上に一つの開口部がある収納部を設け、その開口部の後方に一つの凹み穴を設け、その凹み穴の中に一つの軟性材質を固定で設け、その凹み穴の後方がベースのスイッチと対応する起動レバーに一つの丸い穴を設けることで、突出で設けることができ、又、その丸い穴の上に一つのボタンをはめて設けることで、スイッチを起動することができ、又、一つのアッパーカバーをケースの上方に密着でき、そのアッパーカバーの上方の中央に一つの錐形状の突出部が突出で設けられ、更に、錐形状の突出部の後端の両側にそれぞれ外部へ向かって１枚の突出板をそれぞれ設けてあり、その錐形状の突出部の後端に下へ向かって２個の突出する耳の部分を設けることで、ケースの収納部の両側にはめて設けることができ、その２枚の突出板の中間に固定で一つのレバーを設け、レバーの中間に一つのギアが設けられ、その上に一つのスプリングを設けることで、アッパーカバーの開きを補助でき、又、そのレバーをケースの後端の突出部にある中間収納部に固定で設けることができ、そのギアを収納部の開口部に設け、その減速ギアボックスを２枚のベースの後端にある２枚の固定板のスロットにラッチして固定し、その減速ギアボックスは、左、右のケースの上のエッジの相対���るところに凹みスロット、突出板及びは嵌めスロット、は嵌めブロックを相互に挿入してはめて固定することで構成されることを特徴とする、ゴミ箱としている。
請求項２の考案は、請求項１記載のゴミ箱において、その下本体の上方の接続端の両側にある掛け金を反対方向対応に設定し、その掛け金のある側に外部へ向かって一つの突出キャッチャーを設け、その両端にそれぞれ突出で突出ブロックが設けられ、一つを接続端の前にある掛け金に設け、その掛け金の上方に外部へ向かって一つの突出キャッチャーを設けてあり、その両端にそれぞれ一つのラッチスロット及び一つの曲がりブロックを凹んで設けてあり、もう一つを接続端の後ろにある掛け金に設け、その掛け金の上方に外部へ向かって一つの突出キャッチャーを設け、その両端にそれぞれ一つの突出レバーを設けることを特徴とする、ゴミ箱としている。
請求項３の考案は、請求項１記載のゴミ箱において、その左のケースの左側の下方に一つのモーターを固定で設けてあり、そのモーターの全単に一つのギアＴが固定で設けられ、その左、右のケースの内部の対応するところにそれぞれ４個の丸い穴をもうけ、その４個の丸い穴にそれぞれ４個の心棒をはめて設けてあり、その上にそれぞれギアＴ１、Ｔ２、Ｔ３、Ｔ４、Ｔ５、Ｔ６、Ｔ７、Ｔ８を設けてあり、更に、そのギアＴ１、Ｔ３、Ｔ５、Ｔ７をギアＴ２、Ｔ４、Ｔ６、Ｔ８の下方に固定で設け、それより大きいのである。又、ギアＴをギアＴ１にはめて設け、ギアＴ２をギアＴ３にはめて設け、ギアＴ４をギアＴ５にはめて設け、ギアＴ６をギアＴ７にはめて設け、ギアＴ７、Ｔ８の上端に突出で設けてある減速ギアボックスの上端の隙間の穴の外部に、及び蓋を締嵌め場合、ギアＴ８がアッパーカバー２７の後端に固定で設けてあるギアＴ９の下方と噛みあう状態になることを特徴とする、ゴミ箱としている。
【考案の効果】
【０００７】
（１）本考案の上、下本体を組立ててゴミ箱になる場合、その上本体の下方に取り付ける下本体を取り外し及び組立てることができるので、その上、下本体をそれぞれ包装ができるため、運搬する場合とても便利であるし、ゴミ箱を置く空間にも占めないのである。
（２）本考案はモーターを利用して減速ギアセットを連動するし、その中での一つのギアをケース後端の凹みスロットの中間の上方に突出で設けて、アッパーカバーの後方に固定して設けてあるギアとはめて伝動することで、アッパーカバーを開閉することができる。又、アッパーカバーが感応によって自動的に開くことができるし、確実に開閉の動作を行うことができる。
【考案を実施するための最良の形態】
【０００８】
先ず、図３、４〜８をご参照ください。本考案は本体１０、蓋２０が一つ、電池３０が複数個、電気回路ボードＰＣが一つ、電子パーツＥ、及び減速ギアボックス４０を含む。
【０００９】
その本体１０は取り外しと組み立てができる上、下本体１１、１２を畳んで設けられ、その上本体１１は中空の開口１１０の形状であり、その上に一つの蓋２０をはめて設けることができるし、その中空の開口部１１０の中にフランジ１１１を設けることで、フレーム１１２をその上に設けられ、そのフレーム１１２にゴミ袋１１２０を取り付けることができる。又、そのフレーム１１２は傾斜度があり、上は狭くて下は広い形状を呈するので、そのフレーム１１２を本体１０の中に入れる時、上が広くて下が緊密の隙間１１２１（図９の通り）を呈することで、ごみ袋１１２０を交換することができる。又、上本体１１の底部フレーム１１３に１個（１個を含む）以上の通し穴１１４、１１５、１１６を設けてあり、それぞれの通し穴１１４、１１５、１１６の側の上方にキャッチャー１１７、１１８、１１９を設けてあり、その下本体１２の上方に一つの開口部１２０を設けてあり、下本体１２の上方の接続端１２１の両側、前後の面に、上述の通し穴１１４、１１５、１１６の側の上方にあるキャッチャー１１７、１１８、１１９と相対して嵌合する掛け金１３、１４、１５を設けてある。その下本体１２の上方の接続端１２１の両側にある掛け金１３を反対方向対応に設定する。その掛け金１３のある側に外部へ向かって一つの突出キャッチャー１３０を設け、その両端にそれぞれ突出で突出ブロック１３１が設けられ、一つを接続端１２１の前にある掛け金１４に設け、その掛け金１４の上方に外部へ向かって一つの突出キャッチャー１４０を設けてあり、その両端にそれぞれ一つのラッチスロット１４１及び一つの曲がりブロック１４２を凹んで設けてあり、もう一つを接続端１２１の後ろにある掛け金１５に設け、その掛け金１５の上方に外部へ向かって一つの突出キャッチャー１５０を設けてあり、その両端にそれぞれ一つの突出レバー１５１を設ける。
【００１０】
その蓋２０（図１０、１１、１２をご参照ください）が本体１０の中空の開口部１１０に設けられ、その蓋２０はベース２１で一つのケース２５を締めて固定する。そのベース２１の後端の下方に電池格納部３１を設けることで、電池３０を入れることができる。又、電池格納部３１のある端面にフック３１１を設けることで、電池カバー３２をはめて設けることができる。その電池カバー３２の側に一つの電池格納部３１のフック３１１と対応するフックホール３２１を設け、電池収納部３２のフック３１１をその中に挿入する。その電池カバー３２の端面に突出で押す板３２２を設けてあるので、は嵌め場合、電池収納部３１の一端にあるフック３１１をその電池カバー３２の前端にあるフックホール３２１に挿入して定位することができる。そのベース２１の後端にある電池格納部３１の上に一つのねじ穴２２１がある突出柱２２を設けることで、一つのスイッチＳを締めて固定できる。その電池格納部３１の左側に２枚のスロット２３１がある固定プレート２３を設けるので、スロット２３１に減速ギアボックス４０をラッチして固定できる。更に、ベース２１の後端の左後方に一つのねじ穴２４１がある突出柱２４を設けてある。その上に一つの電気回路ボードＰＣを締めて固定できる。その電気回路ボードＰＣの上に電子パーツＥ及び一つの感応制御パーツＦを設ける。その感応制御パーツＦに一つの感応ワイヤＦＬをベース２１のエッジ２１１に固定で設け、そのベース２１の上方に又一つのケース２５を固定で設ける。そのケース２５の後端に一つの中空状の突出部２５１を設け、その突出部２５１が減速ギアボックス４０の上での隙間の穴４８と対応するところに、一つの開口部２６１がある収納部２６を設けてあり、その開口部２６１の後方に一つの凹み穴２５２を設け、その凹み穴２５２の中に一つの軟性材質２５３を固定で設け、その凹み穴２５２の後方がベース２１のスイッチＳと対応する起動レバーＳ１に一つの丸い穴２５４を設けることで、突出で設けることができる。又、その丸い穴２５４の上に一つのボタンＳ２をはめて設けることで、スイッチＳを起動することができる。又、一つのアッパーカバー２７をケース２５の上方に密着でき、そのアッパーカバー２７の上方の中央に一つの錐形状の突出部２７５が突出で設けられ、更に、錐形状の突出部２７５の後端の両側にそれぞれ外部へ向かって１枚の突出板２７３をそれぞれ設けてあり、アッパーカバー２７を極限までに開ける場合、その突出板２７３を利用し、凹み穴２５２の中での軟性材質２５３とコンタクトすることで、アッパーカバー２７  の高さを定位する。又、その錐形状の突出部２７５の後端に下へ向かって２個の突出する耳の部分２７１を設けることで、ケース２５の収納部２６の両側にはめて設けることができる。その２枚の突出板２７３の中間に固定で一つのレバー２７２を設け、レバー２７２の中間に一つのギアＴ９が設けられ、その上に一つのスプリング２７６を設けることで、アッパーカバー２７の開きを補助できる。又、そのレバー２７２をケース２５の後端の突出部２５１にある中間収納部２６に固定で設けることができ、そのギアＴ９を収納部２６の開口部２６１に設けることで、ベース２１の上に固定で設���られる減速ギアボックス４０の上方にあるギアＴ８と噛みあって伝動することができる。
【００１１】
その減速ギアボックス４０を２枚のベース２１の後端にある２枚の固定板２３のスロット２３１（図１４、１５をご参照ください）にラッチして固定する。その減速ギアボックス４０は、左、右のケース４０Ａ 、４０Ｂの上のエッジの相対するところに凹みスロット４１Ａ、突出板４１Ｂ及びは嵌めスロット４２Ａ、は嵌めブロック４２Ｂを相互に挿入してはめて固定することで構成される。その左のケース４０Ａの左側の下方に一つのモーターＭを固定で設けてあり、そのモーターＭの全単に一つのギアＴが固定で設けられるし、その左、右のケース４０Ａ 、４０Ｂの内部の対応するところにそれぞれ４個の丸い穴４３をもうけてあり、その４個の丸い穴４３にそれぞれ４個の心棒４４、４５、４６、４７をはめて設けてあり、その上にそれぞれギアＴ１、Ｔ２、Ｔ３、Ｔ４、Ｔ５、Ｔ６、Ｔ７、Ｔ８を設けてあり、更に、そのギアＴ１、Ｔ３、Ｔ５、Ｔ７をギアＴ２、Ｔ４、Ｔ６、Ｔ８の下方に固定で設けるしそれより大きいのである。又、ギアＴをギアＴ１にはめて設け、ギアＴ２をギアＴ３にはめて設け、ギアＴ４をギアＴ５にはめて設け、ギアＴ６をギアＴ７にはめて設けるので、モーターＭを回転する時ギアＴを連動すると同時に、ギアＴ１がギアＴ１を連動してギアＴ１に回転させるので、その下方に固定で設けるギアＴ２も同時に回転することで、ギアＴ３を連動する。上述の通りで、ギアＴ３、Ｔ５、Ｔ７がギアＴ４、Ｔ６、Ｔ８を連動するし、ギアＴ７、Ｔ８の上端に突出で設けてある減速ギアボックス４０の上端の隙間の穴４８の外部に、及び蓋２０を締嵌め場合、ギアＴ８がアッパーカバー２７の後端に固定で設けてあるギアＴ９の下方と噛みあう状態になる。
【００１２】
図１０は本考案の実施状態を示す図である。それは蓋２０のベース２１の上に電池３０、減速ギアボックス４０、電気回路ボードＰＣ、スイッチＳ、及びすべての回路に関連するパーツを蓋２０のベース２１に固定して設けた後、ボルトでケース２５を締嵌めので、取り外し及び組立てが簡単で、取り付ける場合、ワイヤが纏い付くことがないし、取り外すために脱落になることもない。又、下本体１２の上方の接続端１２１の両側、前、後に設ける掛け金１３、１４、１５の突出キャッチャー１３０、１４０、１５０を利用して、上述の上本体１１の底部フレーム１１３に１個（１個を含む）以上の通し穴１１４、１１５、１１６の中に貫通することで、突出キャッチャー１３０、１４０、１５０をそれぞれ内縁へ変位するし、上本体１１の底部フレーム１１３の上での通し穴１１４、１１５、１１６の上方にあるキャッチャー１１７、１１８、１１９と相互にコンタクトする（図１１及び図１３をご参照ください）。更に、その取り外し及び組立てを利用して、その下本体１２を上本体１１の下方に取り付けることで、畳んで使用できるゴミ箱が形成される。
【００１３】
実際的に使用する場合、その取り外し及び組み立てできる上、下本体１１、１２が本考案の上での本体１１の下方に取り付けてある下本体１２を利用してゴミ箱の高さを高くさせることができ、図４の通り、その下本体１２の上方での接続端１２１、両側、前、後にある掛け金１３、１４、１５を上本体１１の底部フレーム１１３にある通し穴１１４、１１５、１１６の側の上方にあるキャッチャー１１７、１１８、１１９とはめて設けることで、ゴミ箱が使用する状況によって変化できる。又、図１６〜１８及び図１４、１５をご参照ください。この考案のベース２１のエッジ２１１に感応ワイヤＦＬを設けてあるので、使用する場合、スイッチＳのボタンＳ２を押すと、手がゴミ箱の蓋２０の適切なところに近づいたら、そのベース２１のエッジ２１１にある感応ワイヤＦＬから信号を感応制御パーツＦに送信してモーターＭを起動することで、ギアＴ を連動してから、減速ギアセットＴ０を通して、減速ギアボックス４０でのギアＴ９を連動することで、アッパーカバー２７を徐々に最大限までに上げる場合、そのアッパーカバー２７の後方に設ける突出板２７３がちょうどケース２５の凹み穴２５２の内部にある軟性材質２５３に挿入できるため、騒音が無いままゴミ箱を開いてから、アッパーカバー２７をゆっくり降りることができる。そのため、使用がとても便利で、モーターＭを利用してギアＴ１、Ｔ２、Ｔ３、Ｔ４、Ｔ５、Ｔ６、Ｔ７、Ｔ８と嵌合して伝動することで、ゴミ箱を確実に開閉できるし、故障が低いのである。
【００１４】
図１９及び図４をご参照ください。本考案を包装、搬送又は畳む場合、通し穴１１４、１１５、１１６の側の上方にあるキャッチャー１１７、１１８、１１９とコンタクトする下本体１２の突出キャッチャー１３０、１４０、１５０をそれぞれ移動することで、その突出キャッチャー１３０、１４０、１５０を上本体１１の底部フレーム１１３にある通し穴１１４、１１５、１１６と離脱するような状態になることで、上、下本体１１、１２をそれぞれ取り外し及び組み立てを行って、下本体１２を上本体１１の中空の開口部１１０に入れてから、左右側の方向を変更してから、上本体１１の上方にはめて設けることで、上、下本体１１、１２をそれぞれ取り外して置くことができるので、使用が便利で、包装又は運搬する時もとても便利であるし、ゴミ箱を置く空間にも占めないのである。
【図面の簡単な説明】
【００１５】
【図１】従来の足踏みタイプのゴミ箱の立体図である。
【図２】従来の足踏みタイプのゴミ箱の断面説明図である。
【図３】本考案の立体図である。
【図４】本考案の立体分解図である。
【図５】本考案の下本体の側にある掛け金の立体図である。
【図６】本考案の下本体の前にある掛け金の立体図である。
【図７】本考案の下本体の後ろにある掛け金の立体図である。
【図８】本考案の上本体の底部フレームの立体図である。
【図９】本考案のフレーム及び本体の配合説明図である。
【図１０】本考案の蓋の立体分解図である。
【図１１】本考案の組立てる断面図である。
【図１２】本考案の蓋の後端とアッパーカバーの部分の拡大図である。
【図１３】図１１がＡ-Ａの位置にある場合の断面図である。
【図１４】本考案の減速ギアボックスの立体分解図である。
【図１５】本考案の減速ギアボックスの伝動説明図である。
【図１６】本考案の実施状態図(一)である。
【図１７】本考案の実施状態図(二)である。
【図１８】本考案の実施状態図(三)である。
【図１９】本考案をそれぞれ取り外してから畳んで置く説明図である。
【符号の説明】
【００１６】
１０  本体  
１１  上本体
１２  下本体
１３、１４、１５  掛け金
２０  蓋
２１  ベース
２２、２４  突出柱
２３  固定プレート
２５  ケース
２６  収納部
２７  アッパーカバー
３０  電池
３１  電池格納部
３２  電池カバー
４０  減速ギアボックス
４０Ａ  左のケース
４０Ｂ  右のケース
４１Ａ  凹みスロット
４２Ａ  嵌めスロット
４２Ｂ  嵌めブロック
４３、２５４  丸い穴
４４、４５、４６、４７  心棒
４８  上端の隙間の穴
１１０  中空の開口
１１１  中にフランジ
１１２  フレーム
１１３  底部フレーム
１１４、１１５、１１６  通し穴
１１７、１１８、１１９  キャッチャー
１１２１  隙間
１２０、２６１  開口部
１２１  接続端
１３０、１４０、１５０  突出キャッチャー
１３１  突出ブロック
１４１  ラッチスロット
１４２  曲がりブロック
１５１  突出レバー
２１１  エッジ
２２１、２４１  ねじ穴
２３１  スロット
２５１  突出部
２５２  凹み穴
２５３  軟性材質
２７１  突出する耳の部分
２７２  レバー
４１Ｂ、２７３  突出板
２７５  錐形状の突出部
３１１  フック
３２１  フックホール
３２２  押す板
Ａ１  踏み板
Ａ１２  Ｌ形の押すレバー
Ａ１３  足でゴミ箱
Ａ１４  ゴミ箱の蓋
Ｅ  電子パーツ
Ｆ  感応制御パーツ
ＦＬ  感応ワイヤ
Ｍ  モーター
Ｓ  スイッチ
Ｓ１  起動レバー
Ｓ２  ボタン
Ｔ、Ｔ１、Ｔ２、Ｔ３、Ｔ４、Ｔ５、Ｔ６、Ｔ７、Ｔ８、Ｔ９  ギア
【図１】
0003118777.tif 000003
【図２】
0003118777.tif 000004
【図３】
0003118777.tif 000005
【図４】
0003118777.tif 000006
【図５】
0003118777.tif 000007
【図６】
0003118777.tif 000008
【図７】
0003118777.tif 000009
【図８】
0003118777.tif 000010
【図９】
0003118777.tif 000011
【図１０】
0003118777.tif 000012
【図１１】
0003118777.tif 000013
【図１２】
0003118777.tif 000014
【図１３】
0003118777.tif 000015
【図１４】
0003118777.tif 000016
【図１５】
0003118777.tif 000017
【図１６】
0003118777.tif 000018
【図１７】
0003118777.tif 000019
【図１８】
0003118777.tif 000020
【図１９】
0003118777.tif 000021